(57)【要約】【課題】所定の載置面を確保した載置面部からなる段差部と、載置面部の後方に連続する下方開口コの字状の上縁形成部とを備えた改修用部材を、側溝体の切除上部に配置し、改修用部材内にモルタル等を充填する側溝改修工法において、作業能率を向上させる改修用部材及び改修工法を提供する。【解決手段】段差部及び上縁形成部を有する改修用部材１において、上縁形成部内に予めコンクリート棒１４を接着固定し（コンクリートを充填固定しても良い）、改修対象の既存側溝の側溝体の上部を適宜範囲で切除し、側溝改修用部材を前記切除箇所の上部に配置した際に、上縁形成部１２の外側面に適宜な空間Ａが形成されるように掘削し、前記空間Ａから、改修用部材裏面側にモルタル６等をコンクリート棒１４下面以上で且つ上縁形成部の上面板部より適宜低い位置まで充填し、残余空間にアスファルト４ａを充填する。【選択図】図５
2007239315.tif 000002
【特許請求の範囲】
【請求項１】
側溝体上部に配置する長尺の金属製縁部を備え、前記縁部が前面部と前面部上縁から後退させて所定の載置面を確保した載置面部からなる段差部と、載置面部の後方に連続する下方開口コの字状の上縁形成部とを有し、前記上縁形成部内に上縁形成部の殆どを満たす形状のコンクリート棒を接着固定してなることを特徴とする側溝改修用部材。
【請求項２】
載置面部の所定箇所に螺孔を設けると共に、前記螺孔に無頭ボルトを螺合してなる請求項１記載の側溝改修用部材。
【請求項３】
上縁形成部の上面部の所定箇所に螺孔を設けると共に、セメント棒に前記螺孔と対応するボルト挿通孔を穿設し、前記螺孔に無頭ボルトを螺合してなる請求項１記載の側溝改修用部材。
【請求項４】
側溝体上部に配置する長尺の金属製縁部を備え、前記縁部が前面部と前面部上縁から後退させて所定の載置面を確保した載置面部からなる段差部と、載置面部の後方に連続する下方開口コの字状の上縁形成部とを有し、前記上縁形成部内に上縁形成部の殆どを満たすようにコンクリートを充填固定してなることを特徴とする側溝改修用部材。
【請求項５】
載置面部の所定箇所に螺孔を設けると共に、前記螺孔に無頭ボルトを螺合してなる請求項４記載の側溝改修用部材。
【請求項６】
上縁形成部の上面部の所定箇所に螺孔を設けると共に、上縁形成部内における当該螺孔の延長範囲を保護する仕切り板部を設け、前記延長保護範囲を除いてコンクリートを充填固定して、前記螺孔に無頭ボルトを螺合してなる請求項４記載の側溝改修用部材。
【請求項７】
段差部の前面部背面に、柔軟性を有するモルタルシール部を設けてなる請求項１乃至６記載の何れかの側溝改修用部材。
【請求項８】
段差部の載置面部上にゴム質のクッションシート部を設けてなる請求項１乃至７記載の何れかの側溝改修用部材。
【請求項９】
金属製縁部を所定間隔で平行に配置すると共に、両金属製縁部を連結杆で接続して枠状又は梯子状に形成してなる請求項１又は８記載の何れかの側溝改修用部材。
【請求項１０】
改修対象の既存側溝の側溝体の上部を適宜範囲で切除し、請求項１乃至９記載の何れかの側溝改修用部材を、前記切除部分の上部に配置した際に、上縁形成部の外側面にモルタル又はコンクリートを注入するのに必要な充分な空間が形成されるように掘削する既存物除去工程と、前記改修用部材を側溝体上部に配置する部材配置工程と、改修用部材の上縁形成部の外側面の空間から、改修用部材裏面側にモルタル又はコンクリートを、上縁形成部内のコンクリート棒又は充填固定コンクリートの下面以上で、且つ上縁形成部の上面板部より適宜低い位置まで充填する改修用部材固定工程と、上縁形成部の外側面のコンクリート注入口となった残余空間にアスファルト又はモルタルを充填し、改修用部材にグレーチング又はコンクリート蓋等を装着する仕上げ工程からなることを特徴とする側溝改修工法。
【請求項１１】
部材配置工程において、側溝切除面に、使用する改修用部材の無頭ボルトに対応する位置に、ボルト支持穴を掘穿し、当該ボルト支持穴に無頭ボルト下端を挿入してなる請求項１０記載の側溝改修工法。
【発明の詳細な説明】
【技術分野】
【０００１】
本発明は、既存の側溝を改修するための側溝改修部材及び側溝改修工法に関するものである。
【背景技術】
【０００２】
Ｕ字溝と称される上部が開口したコンクリート製の道路側溝（以下「側溝体」という）は、開口部分にコンクリート蓋や、或いはグレーチングと称される金属製蓋が装着されている。
【０００３】
特にコンクリート蓋を使用した道路側溝（側溝体）は、車両の通過による荷重負担や振動を受けるので、経年変化として蓋体や側溝体上部が破損する。そこで破損した側溝体は補修する必要があり、従前においては、側溝体全部を取り替えたり側溝体内部に更に樹脂製Ｕ字溝を組み込む工法（特許文献１）が知られている。しかし前記の工法は、側溝機能を維持するために工事期間中側溝のバイパス路が必要であり、バイパス路構築の煩雑さがある。
【０００４】
また特開２００３−１１９８７５号公報（特許文献２）には、従来技術として破損側溝体の上部を除去し、新しい部分を型枠で再構築する手段が開示されており、この型枠使用工事の煩雑さを問題点としてあげ、前記の対策として、側溝蓋を樹脂モルタルで側溝体の受け部に接着し、蓋体の上面及び側溝体の上面を切削し、切削箇所にシート材を貼着し、更に樹脂モルタルで被覆する改修工法が開示されている。
【０００５】
従前の改修工法のうち、側溝体の上部のみを改修する工法は、側溝機能を保持したままの改修となり、バイパス路の構築を必要としない利点を有しているが、例えば型枠を使用する工事では、型枠の着脱工事が面倒であるし、樹脂モルタルを使用する工法では、車両の走行によって表面の樹脂モルタルが剥離すると、再度の補修が必要であって、耐久性の点で課題を有する。またコンクリート蓋体を側溝体の受け部に固定してしまうと、蓋体の開被が不可能となって、側溝清掃等ができなくなってしまう。
【０００６】
そこで本願発明者らは、先に蓋体載置部分のみを改修するために、側溝上部を切除し、当該切除部分に所定形状の改修用部材（型枠体）を配置すると共に、型枠体内にコンクリートを充填し、前記型枠体をそのまま側溝の上部保護体として使用する改修工法（以下「型枠体置換工法」という）を提案した（特許文献３：特開２００５−２７３３８２号公報、特許文献４：実用新案登録３１１２４０１号公報図１乃至図５）。
【０００７】
【特許文献１】実開平３−２０８５号公報。
【特許文献２】特開２００３−１１９８７５号公報。
【特許文献３】特開２００５−２７３３８２号公報。
【特許文献４】実用新案登録３１１２４０１号公報図１乃至図５。
【発明の開示】
【発明が解決しようとする課題】
【０００８】
前記した型枠体置換工法における改修用部材は、側溝体の切除上部に配置する長尺の金属製縁部材で、前面部と前面部上縁から後退させて所定の載置面を確保した載置面部からなる段差部と、載置面部の後方に連続する下方開口コの字状の上縁形成部とを備え、上縁形成部の上面部にモルタル注入孔を形成し、載置面部の所定箇所に螺孔を設けると共に、前記螺孔に無頭ボルトを螺合してなるものである。
【０００９】
前記改修部材を採用した場合、特に特許文献４の図６に示したように、側溝体の周囲部分を掘削除去しない工事形態においては、上縁形成部内にコンクリートを充填するのに、モルタル注入口から実施することになり、作業能率上必ずしも好ましいとはいえない。
【００１０】
また側溝改修に際しては、改修部材と既存アスファルト路面とがしっかりと一体化するように、改修部材の上縁形成部の外側面との間にアスファルトを充填して仕上げることになる。
【００１１】
そこで本発明は、前記した型枠体置換工法において、作業効率に優れた新規な改修部材及び同部材を使用した新規な改修工法を提案したものである。
【課題を解決するための手段】
【００１２】
本発明に係る改修用部材（請求項１、４）は、側溝体上部に配置する長尺の金属製縁部を備え、前記縁部が前面部と前面部上縁から後退させて所定の載置面を確保した載置面部からなる段差部と、載置面部の後方に連続する下方開口コの字状の上縁形成部とを有し、前記上縁形成部内に上縁形成部の殆どを満たす形状のコンクリート棒を接着固定し、又は上縁形成部の殆どを満たすようにコンクリートを充填固定してなることを特徴とするものである。
【００１３】
また本発明に係る改修用部材（請求項２，３，５，６）は、載置面部の所定箇所に螺孔を設けるか、又は上縁形成部の上面部の所定箇所に螺孔を設けると共に、コンクリート棒に前記螺孔と対応するボルト挿通孔を穿設し、前記螺孔に無頭ボルトを螺合してなることを特徴とするものである。
【００１４】
本発明に係る側溝改修工法（請求項１０）は、改修対象の既存側溝の側溝体の上部を適宜範囲で切除し、上記の側溝改修用部材を前記切除箇所の上部に配置した際に、上縁形成部の外側面にモルタル又はコンクリートを注入するのに必要な充分な空間が形成されるように掘削する既存物除去工程と、前記改修用部材を側溝体上部に配置する部材配置工程と、改修用部材の上縁形成部の外側面の空間から、改修用部材裏面側にモルタル又はコンクリートを、上縁形成部内のコンクリート棒又は充填固定コンクリートの下面以上で且つ上縁形成部の上面板部より適宜低い位置まで充填する改修用部材の固定工程と、上縁形成部の外側面のコンクリートの注入口となった残余空間にアスファルト又はモルタルを充填し、改修用部材にグレーチング又はコンクリート蓋等を装着する仕上げ工程からなることを特徴とするものである。
【発明の効果】
【００１５】
本発明に係る側溝改修部材及び前記改修部材を使用して側溝改修工法は上記のとおりで、改修部材の上縁形成部の外側面の空間からコンクリート又はモルタルを充填し、且つ上縁形成部はコンクリート棒又は充填固定コンクリートで予め満たされているので、改修部材全体の下方へのコンクリート又はモルタルを充填する作業が非常に容易になり作業効率が著しく向上すると共に、前記の構成の採用によって改修部材と既存アスファルト路面との一体化するアスファルトのすり付け舗装仕上げや或いはコンクリート路面との一体化仕上げも容易に実施できたものである。
【００１６】
また特に改修用部材の所定位置に無頭ボルトを螺合装着したもので、切除側溝体上部に改修部材を配置した際に、その高さ調整が容易に行われ、路面高さとの対応が所望通りになされるものである。
【発明を実施するための最良の形態】
【００１７】
次に本発明の実施形態について説明する。図１は第一実施形態の側溝改修用部材１で、図２は第二実施形態の側溝改修用部材１ａである。
【００１８】
第一実施形態の側溝改修用部材１について説明すると、側溝改修用部材１は、後述する切除側溝体２の上部に配置でき、且つ新規な側溝蓋となるグレーチング３の載置部を備えることになる大きさで、所定単位の長さとした長尺の金属製縁部材である。
【００１９】
その詳細について説明すると、グレーチング３の載置箇所となる段差部１１と、側溝上端縁となる上縁形成部１２を備え、段差部１１は、所定高さ（後述する側溝改修工事に際して充分にモルタル型枠として機能する高さ）の前面部１１１と、前面部１１１の上縁から後退させて所定の載置面を確保した載置面部１１２からなり、前面部１１１の背面下方部分に、スポンジのような柔軟性を有するモルタルシール部１１３を長手方向全長に設けてなる。更に載置面部１１２上には、ゴム質のクッションシート部１１４を設けてなる。
【００２０】
また載置面部１１２の所定箇所（グレーチングの固定部と対応するような位置）に、螺孔１１５を設けると共に、前記螺孔１１５に無頭ボルト１３を螺合してなる。勿論無頭ボルト１３は、ナットの螺合が可能であると共に、頂部に操作溝を穿設して回動操作可能にしたものである。
【００２１】
上縁形成部１２は、載置面部の後方（外側）に連続して形成されているもので、内側面部１２１と上面部１２２と外側面部１２３を備えた下方開口コの字状断面で、内部に上縁形成部の殆どを満たす形状のセメント棒１４を接着固定してなるものである。
【００２２】
また第二実施形態の側溝改修用部材１ａは、基本的構成は、前記第一実施形態の部材１と同様であるが、載置面部１１２に螺孔１１５を設けずに、上縁形成部１２の上面部１２２に螺孔１２４を形成し、前記螺孔１２４に無頭ボルト１３を螺合してなる。
【００２３】
さら上縁形成部１２の内方には、前記螺孔１２４と対応するボルト挿通孔１４１を穿設したコンクリート棒１４ａを接着固定してなるものである。
【００２４】
次に前記改修用部材１，１ａを使用した側溝の改修工法を、工事手順に沿って説明する。工事は、既存物除去工程、部材配置工程、改修部材固定工程、仕上げ工程の順で行われる。
【００２５】
既存物除去工程は、既存の側溝体２ａ（図３）において、改修対象のコンクリート蓋体（グレーチングの場合もある）３ａを外し、側溝体２ａの上部を所定の切断機（特願２００５−０５８７５９号）で切断し、切断部分を上方に除去する。
【００２６】
更に切除側溝体２の外側に部分のアスファルト路面４ａ部分も必要に応じ除去し、更に切除側溝体２の上部に、改修用部材１，１ａの何れかを上部に配置した際に、上縁形成部１２の外側面にモルタル又はコンクリートを注入するのに必要とするのに充分な空間Ａが形成されるように掘削する。
【００２７】
また切除側溝体２の切除面の所定箇所（無頭ボルト１３と対応する位置）に、無頭ボルト１３が直立できる深さ及び径の支持穴２１，２１ａを掘穿する。特に第一実施形態の側溝改修用部材１を使用する場合には、必要に応じて鉄筋体５を立設する鉄筋支持穴２２を設けてなる（図４イ、ロ）。
【００２８】
部材配置工程は、無頭ボルト１３の下端を、接着剤を充填した支持穴２１，２１ａに差し入れ、同時に無頭ボルト１３を操作して、上面部１２２の高さ調整を行い、所定の高さで側溝改修用部材１，１ａを配置し、仮固定する（図５イ、図６イ）。
【００２９】
改修用部材の固定工程は、改修用部材１，１ａの上縁形成部１２の外側面の空間Ａから、改修用部材１，１ａ裏面側にモルタル６又はコンクリートを流し入れ、コンクリート棒１４，１４ａ下面以上で且つ上縁形成部１２の上面部１２２より適宜低い位置までモルタル６等を充填する（図５ロ、図６ロ）。尚改修用部材１ａを採用した場合には、上面部１２２より突出した無頭ボルト１３の頭部をグライダー等で除去し、上面部１２を平滑面とする。
【００３０】
仕上げ工程は、側溝隣接路面の仕上げ処理と改修用部材１，１ａへのグレーチング３の装着である。モルタル（コンクリート）６が固化した後に、モルタル注入箇所となった空間Ａにアスファルトを充填し、同時に既存のアスファルト路面４ａと同一面となるように仕上げのアスファルト路面４を形成する（図５ハ、図６ハ）。
【００３１】
そして改修用部材１の載置面部１１２上にグレーチング３を載置し、第一実施形態の改修部材を採用した場合には、グレーチング３の固定部に無頭ボルト１３を挿通してナットを螺合し、グレーチング３を改修された側溝に装着するものである。勿論不要の場合には頭部を切除すれば良い。
【００３２】
尚モルタルシール部１１３のシール機能並びにクッションシート部１１４によるグレーチング振動吸収機能を有することは従前と同様である。
【００３３】
以上のとおり本発明は、傷の少ない既存の側溝体下方部分をそのまま残し、排水機能を維持した状態での工事ができるという従前の型枠体置換工法の利点を備えると共に、充填モルタルの一部をコンクリート棒に置換することで、従前工法より工事の作業能率に優れ、且つ路面仕上げも確実に且つ奇麗に形成することができたものである。
【００３４】
また本発明は、前記の改修部材１，１ａのようにコンクリート棒１４，１４ａを採用せずに、図７，８に示すようにコンクリート棒１４，１４ａに代えてコンクリートを充填固定したものを採用しても良い。
【００３５】
図７に示す第三実施形態の改修用部材１ｂは、第一実施形態の改修用部材１のコンクリート棒１４を充填コンクリート１４ｂに置換したもので、上縁形成部１２内にコンクリート１４ｂを充填し、固化させたものである。また特に充填コンクリート１４ｂが上縁形成部１２内から離脱しないように、外側面部１２３を傾斜形成し、開口部分を狭くしてなる。
【００３６】
また図８に示す第四実施形態の改修用部材１ｃは、第二実施形態の改修用部材１ａのコンクリート棒１４ａを充填コンクリート１４ｂに置換したもので、上縁形成部１２の上面部１２２に螺孔１２４を形成し、当該螺孔１２４に無頭ボルト１３を装着するために、上縁形成部１２内における螺孔１２４の延長範囲を保護する仕切り板部１２５を設け、前記延長保護範囲を除いてコンクリート１４ｃを充填して固化させたものである。
【００３７】
尚前記充填コンクリート１４ｂ，１４ｃが上縁形成部１２内から離脱しない手段として、前記の外側面部１２３の傾斜に替えて、内側面部１２１と外側面部１２３との間に鉄筋棒を架設溶着しておいても良い。
【００３８】
前記の第三、四実施形態の改修用部材１ｂ，１ｃも第一、二実施形態の改修用部材１，１ａと同様に使用されるものである。
【００３９】
尚前記した各実施形態は、蓋体としてグレーチングを採用した例を示したが、コンクリート蓋体を採用しても良い。この場合にはグレーチングの厚みとコンクリートの厚みの相違を考慮して、コンクリート蓋体に対応する改修用部材を採用すれば良い。
【００４０】
またコンクリート路面に本発明を適用する場合には、仕上げ工程において、空間Ａへの充填にはモルタル又はコンクリートを使用すれば良いもので、前記充填は、改修用部材の固定工程と同時に実施しても良い。
【００４１】
更に前記実施形態においては、改修用部材を長尺の金属製縁部材としたが、前記長尺金属製縁部材を、所定間隔を置いて平行に配置し、両者間を連結杆で接続し、枠形状や梯子形状の改修用部材としても良いし、その一部をコンクリート蓋体も一体に形成しておいても良い。この場合には、側溝体の改修を両側同時に行うことができる利点がある。
【００４２】
また本発明は無頭ボルトを採用せずに、高さ調整可能で改修用部材を切除側溝体の上面に安定して配置できる適宜な脚部を段差部に適宜間隔で設けても良いし、側溝体の切除が規格の通り実施される場合には、固定した脚部を採用しても良い。
【図面の簡単な説明】
【００４３】
【図１】本発明の第一実施形態の改修用部材の要部斜視図。
【図２】同第二実施形態の改修用部材の要部斜視図。
【図３】同改修対象の側溝の断面図。
【図４】同既存物除去工程の側溝の断面図。
【図５】同第一実施形態の工程説明図。
【図６】同第二実施形態の工程説明図。
【図７】同第三実施形態の改修用部材の要部斜視図（下方斜視）。
【図８】同第四実施形態の改修用部材の要部斜視図（下方斜視）。
【符号の説明】
【００４４】
１，１ａ，１ｂ，１ｃ      改修用部材
１１          段差部
１１１          前面部
１１２          載置面部
１１３          モルタルシール部
１１４          クッションシート部
１１５          螺孔
１２          上縁形成部
１２１          内側面部
１２２          上面部
１２３          外側面部
１２４          螺孔
１２５          仕切り板部
１３          無頭ボルト
１４，１４ａ  コンクリート棒  
１４ｂ，１４ｃ  充填コンクリート
１４１          ボルト挿通孔
２            切除側溝体
２ａ          既存側溝体
２１，２１ａ  支持穴
２２          鉄筋支持穴
３          グレーチング（新設）
３ａ          コンクリート蓋体（既存）
４          仕上げのアスファルト路面
４ａ        アスファルト路面（既存）
５          鉄筋体
６          モルタル（コンクリート）
【図１】
2007239315.tif 000003
【図２】
2007239315.tif 000004
【図３】
2007239315.tif 000005
【図４】
2007239315.tif 000006
【図５】
2007239315.tif 000007
【図６】
2007239315.tif 000008
【図７】
2007239315.tif 000009
【図８】
2007239315.tif 000010